(57)【要約】【課題】電気サウナヒータに不具合を生じさせずに、ローリュウサウナを実現するサウナ用加湿装置を提供する。【解決手段】サウナヒータ２の上部に配置されるサウナ用加湿装置１において、サウナヒータ２で加熱された熱風をダクト５によりサウナ室へ導き、熱風によってサウナストーン８を加熱し、サウナストーン８に水かけられてサウナストーン８が載置される多孔板７に設けた孔７ａから蒸発しなかった水がダクト５内に落ちた場合に、複数の水受け部９、１０、１１によって水がサウナヒータ２にかからないようにする。【選択図】図１
2010142374.tif 000002
【特許請求の範囲】
【請求項１】
サウナストーンに水をかけることで、サウナ室を加湿するサウナ用加湿装置において、
サウナヒータで加熱された熱風を前記サウナ室内へ導くダクトと、
前記ダクトに支持され、前記熱風によって加熱される前記サウナストーンが載置される多孔板と、
前記ダクトの内壁に取り付けられ、前記ダクト内で前記熱風が通る流路を形成し、前記多孔板の孔を通って落下する水が前記サウナヒータにかかることを防止する複数の水受け部と、を備えることを特徴とするサウナ用加湿装置。
【請求項２】
前記水受け部は、前記鉛直方向において異なった位置に取り付けられ、
前記水受け部は、前記鉛直方向から見たときに他の水受け部と重複する重複部を形成することを特徴とする請求項１に記載のサウナ用加湿装置。
【請求項３】
前記水受け部の少なくとも１つは、前記多孔板の孔を通って落下した水を貯水することを特徴とする請求項１または２に記載のサウナ用加湿装置。
【請求項４】
前記水受け部の少なくとも１つは、前記水受け部内の水を前記鉛直方向下側に位置する他の水受け部へ排水する排水部を備えることを特徴とする請求項３に記載のサウナ用加湿装置。
【請求項５】
前記水受け部の少なくとも１つは、前記水受け部内の水を前記ダクトの外部へ排水する外部排水部を備えることを特徴とする請求項３または４に記載のサウナ用加湿装置。
【請求項６】
前記サウナヒータの熱風出口と前記ダクトの熱風導入口とを連通させる連通ダクトを備えることを特徴とする請求項１から５のいずれか一つに記載のサウナ用加湿装置。
【発明の詳細な説明】
【技術分野】
【０００１】
本発明はサウナ用加湿装置に関するものである。
【背景技術】
【０００２】
現在では電力を熱源とするサウナが多く使用されており、本出願人もシーズヒータと呼ばれる電気ヒータによってサウナ室を加熱するサウナ装置を発明し、出願を行っている（特許文献１）。
【０００３】
特許文献１は、電気ヒータを用いたサウナ装置を対象になされたもので、電気ヒータによって加熱された空気が上方からサウナ室へ供給される。
【特許文献１】特開平９−５６７７０号公報
【発明の開示】
【発明が解決しようとする課題】
【０００４】
サウナの本場である北欧では、サウナストーブの上方に設けたサウナストーンに水をかけて蒸気を発生させてサウナ室を加湿するローリュウサウナが広く普及している。
【０００５】
しかしながら、特許文献１に示すようにサウナストーブとして電気ヒータが用いられている場合にサウナストーンに水をかけると、サウナストーンで蒸発しなかった水が電気ストーブにかかることがある。電気ヒータにかかった水は、電気ヒータの配線等で絶縁不良等の不具合を引き起こす可能性がある。
【０００６】
本発明はこのような問題点を解決するために発明されたもので、電気ヒータをサウナストーブに用いた場合に、電気ヒータに不具合を生じさせずにサウナ室を加湿することを目的とする。
【課題を解決するための手段】
【０００７】
本発明は、サウナストーンに水をかけることで、サウナ室を加湿するサウナ用加湿装置において、サウナヒータで加熱された熱風を前記サウナ室内へ導くダクトと、ダクトに支持され、熱風によって加熱されるサウナストーンが載置される多孔板と、ダクトの内壁に取り付けられ、ダクト内で熱風が通る流路を形成し、多孔板の孔を通って落下する水がサウナヒータにかかることを防止する複数の水受け部と、を備える。
【発明の効果】
【０００８】
本発明によると、サウナヒータに不具合を生じさせずに、サウナ室を加湿することができる。
【発明を実施するための最良の形態】
【０００９】
本発明の第１実施形態について、図１、２を用いて説明する。図１は本発明のサウナ用加湿装置の概略断面図である。図２は図１のＡより見た場合のサウナ用加湿装置の正面図である。
【００１０】
サウナ用加湿装置１は、サウナ室に配置された電気サウナヒータ２の上方に設けられる。サウナ用加湿装置１および電気サウナヒータ２は、壁３によってサウナ利用者が座るベンチから隔離されている。
【００１１】
サウナ用加湿装置１は、連通ダクト４と、ダクト５と、支持部６と、多孔板７と、サウナストーン８と、第１水受け部９と、第２水受け部１０と、第３水受け部１１とを備える。
【００１２】
ダクト５の一方の開口部１２は、電気サウナヒータ２から温度の高い空気である熱風を排出する電気サウナヒータ２の開口部３５と向かい合うように設けられる。熱風は電気サウナヒータ２から連通ダクト４を介してダクト５内に流入する。ダクト５のもう一方の開口部１３は、鉛直方向上側に設けられる。ダクト５は熱風をサウナ用加湿装置１の上方へ導き、熱風をサウナ室内へ供給する。なお、連通ダクト４の形状を電気サウナヒータ２の形状に合わせて設計することで、電気サウナヒータ２からダクト５へ熱風を導くことができる。
【００１３】
支持部６は、一方の端部がダクト５の側面部に連結し、もう一方の端部がサウナ室の床に連結している。支持部６は、電気サウナヒータ２を跨ぐように設けられており、サウナ用加湿装置１をサウナ室の床に対して支持している。なお、支持部６の端部は、サウナ用加湿装置１を支持することができれば、サウナ室の床に連結している必要はなく、サウナ室の床に当接しても良い。
【００１４】
多孔板７は、鉛直方向上側に位置するダクト５の開口部１３付近に設けられる。なお、多孔板７はダクト５から脱着可能に取り付けても良い。多孔板７は、サウナストーン８をダクト５の上方側に支持する。多孔板７は、複数の孔７ａを有している。この孔７ａにより、ダクト５内部とサウナ室とが連通し、ダクト５内を通った熱風がサウナ室へ供給される。またサウナストーン８に水がかけられた場合に、蒸発しなかった水は孔７ａを通ってダクト５内へ落下する。
【００１５】
多孔板７は、サウナストーンを支持し、熱風を流通させるものであれば良く、例えば金網状のものなどを使用しても良い。
【００１６】
サウナストーン８は、多孔板７に載置され、ダクト５内を上昇する熱風によって加熱される。加熱されたサウナストーン８に水がかけられると、水が蒸発して水蒸気となりサウナ室を加湿する。
【００１７】
第１水受け部９は、鉛直方向上側であり、多孔板７よりも鉛直方向下側のダクト５の内壁に取り付けられる。第１水受け部９は、上部が開口する箱状に形成され、底部と底部の周りに設けた側面部とを備える。第１水受け部９は、第１水受け部９の４つの側面部のうち３つの側面部の外周面がダクト５の内壁に接している。ダクト５の中心側に位置するもう１つの側面部２０は、対峙するダクト５の内壁２２との間に隙間２３を形成する。第１水受け部９は多孔板７の孔７ａを通って落下した水を貯める。
【００１８】
また、第１水受け部９は、第１水受け部９に貯まった水の水位が第１所定水位まで上昇すると第１水受け部９から第２水受け部１０へ排水する第１排水管（排水部）２４を備える。第１排水管２４は、ダクト５の中心側に位置する側面部２０に設けられる。第１所定水位は、予め設定された水位であり、以下において説明する第２水受け部１０、第３水受け部１１における最大貯水量、および第２水受け部１０、第３水受け部１１からの排水能力などによって設定される。
【００１９】
第２水受け部１０は、第１水受け部９よりも鉛直方向下側のダクト５の内壁に取り付けられる。第２水受け部１０は、第１水受け部９と同様に上部が開口する箱状に形成される。鉛直方向から見た場合に、鉛直方向において第２水受け部１０の一部は第１水受け部９と重なっている。つまり、第１水受け部９と第２水受け部１０とは、鉛直方向から見た場合に重なる重複部２１を形成する。第２水受け部１０のダクト５中心側に位置する側面部２５は、対峙するダクト５の内壁２６との間に隙間２７を形成する。第２水受け部１０は、多孔板７の孔７ａを通って落下した水、および第１水受け部９から排出された水を貯める。
【００２０】
また、第２水受け部１０は、第２水受け部１０に貯まった水の水位が第１所定水位まで上昇すると、第２水受け部１０から第３水受け部１１へ排水する第２排水管（排水部）２８を備える。第２排水管２８は、ダクト５の中心側に位置する側面部２５に設けられる。なお、第２水受け部１０の第１所定水位を第１水受け部の第１所定水位と異なる水位としても良い。
【００２１】
第１水受け部９と第２水受け部１０とは、鉛直方向から見た場合に、第１水受け部９と第２水受け部１０とが一部重なり重複部２１を形成するように設けられる。第１水受け部９と第２水受け部１０とをこのように設けることで、サウナストーン８で蒸発せずに多孔板７の孔７ａを通って落下する水は、第１水受け部９または第２水受け部１０の中に落ちることなる。そのため、第１水受け部９、第２水受け部１０によって水が電気サウナヒータ２にかかることを防止し、電気サウナヒータ２における不具合の発生を防止することができる。
【００２２】
第３水受け部１１は、第２水受け部１０よりも鉛直方向下側のダクト５の内壁に取り付けられる。第３水受け部１１は、第１水受け部９と同様に上部が開口する箱状に形成される。第３水受け部１１のダクト５中心側に位置する側面部２９は、対峙するダクト５の内壁２２との間に隙間３０を形成する。第３水受け部１１は、第２水受け部１０から排出された水を貯める。
【００２３】
また、第３水受け部１１は、第３水受け部１１に貯まった水の水位が第２所定水位まで上昇すると、第３水受け部１１からダクト５の外に排水する第３排水管（外部排水部）３１を備える。第３排水管３１は、ダクト５を貫通して設けられ、第３排水管３１の水をサウナ室の床に排水する。
【００２４】
第１水受け部９および第３水受け部１１とダクト５の内壁２２との間にそれぞれ形成する隙間２３、３０と、第２水受け部１０とダクト５の内壁２６との間に形成する隙間２７と、鉛直方向における第１水受け部９と第２水受け部１０と第３水受け部１１との間に形成する隙間と、によって熱風が通る流路３２がダクト５内に形成される。
【００２５】
電気サウナヒータ２は、鉛直方向下側に設けた開口部３３によってサウナ室内の空気を内部へ取り入れ、比較的温度が低いサウナ室内の空気を電気ヒータ３４によって加熱する。電気ヒータ３４によって加熱された空気は、熱風として鉛直方向上側の開口部３５から連通ダクト４を介して、ダクト５へ供給される。
【００２６】
電気サウナヒータ２は、サウナ室の側面壁５０と壁３とによって周囲を囲まれており、電気サウナヒータ２と側面壁５０、壁３との間に所定の隙間を設けている。所定の隙間は、側面壁５０および壁３の温度が上昇し過ぎないように設定されている。
【００２７】
壁３は、電気サウナヒータ２とサウナ利用者とを隔離するための壁である。壁３の高さは、サウナ室の床からサウナ用加湿装置１の上端部までの高さと略同一の高さとすることが望ましい。これにより、サウナ利用者が、温度が高くなったサウナ用加湿装置１に接触することを防止し、さらにサウナ利用者がサウナストーン８に水をかけ、サウナ室を加湿することを容易にする。壁３は、サウナ室の空気を電気サウナヒータ２へ取り込むための孔３ａ、３ｂを備える。孔３ａ、３ｂはベンチよりも鉛直方向下側に設けられる。
【００２８】
次に本実施形態の作用について説明する。
【００２９】
サウナ室の比較的温度が低い空気は、壁３の孔３ａ、３ｂ、および電気サウナヒータ２の開口部３３を介して電気サウナヒータ２の内部に取り込まれる。
【００３０】
電気サウナヒータ２の内部に取り込まれた空気は、電気ヒータ３４によって加熱される。そして、温度が高くなった空気は、熱風となり連通ダクト４を介して、サウナ用加湿装置１のダクト５へ導入される。
【００３１】
ダクト５へ導入された熱風は、第３水受け部１１と第２水受け部１０と第１水受け部９とダクト５の内壁とによって形成される流路３２を通って上昇する（図１中、白抜き矢印）。そして、熱風は、多孔板７に載置されるサウナストーン８を加熱し、サウナ室へ供給される。第１水受け部９、第２水受け部１０、第３水受け部１１に水が貯まっている場合には、熱風は貯まった水を蒸発させてサウナ室を加湿する。
【００３２】
サウナストーン８は、ダクト５を通った熱風により温度が高くなっており、サウナ利用者がサウナストーン８に水をかけると、水はサウナストーン８の熱によって蒸発する。
【００３３】
しかし、サウナストーン８にかけられる水の量が多い場合、サウナストーン８の温度が低い場合などには、サウナストーン８の熱によって蒸発しなかった水が多孔板７の孔７ａを通ってダクト５内へ落下する（図１中、矢印）。
【００３４】
ダクト５内へ落下した水は、まず第１水受け部９と第２水受け部１０に貯まる。第１水受け部９の水位が第１所定水位以上となると、第１水受け部９に貯まった水が第１排水管２４によって第２水受け部１０に排水される。また、第２水受け部１０の水位が第１所定水位以上となると、第２水受け部１０に貯まった水が第２排水管２８によって第３水受け部１１に排水される。さらに、第３水受け部１１の水位が第２所定水位以上となると、第３水受け部１１に貯まった水が第３排水管３１によってダクト５の外へ排水される。
【００３５】
電気サウナヒータ２の上部にサウナ用加湿装置１を設置することで、例えば温度９０〜１００℃、相対湿度５％といった状態から、温度８０〜９０℃、相対湿度１０〜１５％といった状態のサウナを容易に実現することが可能となる。
【００３６】
なお、本実施形態では、ダクト５の上方から見た場合に第１水受け部９と第２水受け部１０とが一部重なって重複部２１を形成するように設け、サウナストーン８で蒸発しなかった水を第１水受け部９と第２水受け部１０で受けているが、これに限られることはなく、第１水受け部９、第２水受け部１０、および第３水受け部１１によって、サウナストーン８で蒸発しなかった水が電気サウナヒータ２にかからないように受けてもよい。
【００３７】
本発明の第１実施形態の効果について説明する。
【００３８】
ダクト５の鉛直方向上側に設けた多孔板７よりも下側に熱風が通る流路３２を形成し、かつ多孔板７の孔７ａを通って落下する水が電気サウナヒータ２にかかることを防止する第１水受け部９と第２水受け部１０と第３水受け部１１とを備える。これにより、サウナストーン８に水をかけてサウナ室を加湿する場合に、電気サウナヒータ２に水がかかることを防止し、電気サウナヒータ２の不具合の発生を抑制することができる。
【００３９】
第１水受け部９、第２水受け部１０によって多孔板７の孔７ａを通って落下する水を受けることで、電気サウナヒータ２に水がかかることを防止することができる。
【００４０】
第１水受け部９の水位が第１所定水位以上となった場合に、水を第２水受け部１０へ排水する第１排水管２４を備え、第２水受け部１０にも、同様に水を第３水受け部１１へ排水する第２排水管２８を備える。これにより、第１水受け部９、第２水受け部１０の水位が上昇した場合に、各水受け部よりも下側に位置する水受け部に排水することができる。
【００４１】
第３水受け部１１の水位が第２所定水位以上となった場合に、ダクト５外部へ排水する第３排水管３１を備える。これにより、第３水受け部１１の水位上昇した場合に、第３水受け部１１の外へ排水し、電気サウナヒータ２に水がかかることを防止することできる。
【００４２】
サウナヒータの熱風出口とダクト５の熱風導入口とを連通させる連通ダクト４を用いることで、既存の電気サウナヒータにサウナ用加湿装置１を取り付けることができ、既存の電気サウナヒータを用いて、ローリュウサウナを行うことができる。そのため、改装工事などの時間を短縮し、コストを抑制してローリュウサウナを行うことができる。また、連通ダクト４の形状を変更することで、様々な形状の電気サウナヒータ２とダクト５とを連通することができる。
【００４３】
次に本発明の第２実施形態について図３を用いて説明する。図３は、サウナ用加湿装置の一部を示す断面図である。
【００４４】
ここでは、第１実施形態と異なる箇所について説明する。
【００４５】
第２実施形態のサウナ用加湿装置４０は、第２水受け部４１と、第３水受け部４２との構成が異なっている。その他の構成については第１実施形態と同じ構成なので、ここでの説明は省略する。なお、第１実施形態と同様の構成については、第１実施形態と同じ符号を付している。
【００４６】
第２実施形態のサウナ用加湿装置４０においては、第１水受け部９、第２水受け部４１、第３水受け部４２は、階段状に配置される。第１水受け部９と第２水受け部４１と第３水受け部４２とは、鉛直方向から見た場合に、第１水受け部９と第２水受け部４１との一部が重なり、重複部４３を形成するように設けられ、さらに第２水受け部４１と第３水受け部４２との一部が重なり、重複部４４を形成するように設けられる。
【００４７】
本発明の第２実施形態の効果について説明する。
【００４８】
第１水受け部９、第２水受け部１０、第３水受け部１１を階段状に配置することで、第１実施形態と同様の効果を得ることができる。また、熱風を効率よくダクト５上方へ導くことができる。
【００４９】
なお、第１、第２実施形態では、水受け部を３つ設けたが、これに限られることはなく、多孔板７の孔を通って落下する水が電気サウナヒータ２にかからず、電気サウナヒータ２によって加熱された熱風の流れを妨げなければ良い。また、水受け部の配置は上記した構成に限られることはなく、多孔板７の孔７ａを通って落下する水が電気サウナヒータ２にかからず、電気サウナヒータ２によって加熱された熱風の流れを妨げなければ良い。
【００５０】
また、第１水受け部９、第２水受け部１０、４１を箱状に形成したが、多孔板７の孔７ａを通って落下する水がサウナヒータにかからないような形状であれば良く、第１水受け部９、第２水受け部１０、４１を例えば平板状とし、傾斜を付けてダクト５の内壁に取り付け、下側に位置する水受け部へ排水するようにしても良い。
【００５１】
また、第１水受け部９、第２水受け部１０、４１に設けた第１排水管２４、第２排水管２８をダクト５の外部へ連通し、ダクト５の外部へ排水しても良い。
【００５２】
また、本実施形態では電気サウナヒータ２を用いたが、ガスサウナヒータにも用いることできる。ガスサウナヒータの燃焼管などに水がかかった場合に、急激な熱収縮によって管の変形などによって、水が管内に入ることを防止し、ガスサウナヒータの劣化を防止することができる。
【００５３】
また、本実施形態では連通ダクト４を設けたが、電気サウナヒータ２によって発生する熱風の多くがダクト５内に流入する場合には、連通ダクト４を設けなくても良い。
【００５４】
本発明は上記した実施形態に限定されるものではなく、その技術的思想の範囲内でなしうるさまざまな変更、改良が含まれることは言うまでもない。
【図面の簡単な説明】
【００５５】
【図１】本発明の第１実施形態のサウナ用加湿装置の概略断面図である。
【図２】図１のＡ方向から見たサウナ用加湿装置の正面図である。
【図３】本発明の第２実施形態のサウナ用加湿装置の一部を示す概略断面図である。
【符号の説明】
【００５６】
１      サウナ用加湿装置
２      電気サウナヒータ
４      連通ダクト
５      ダクト
７      多孔板
７ａ    孔
８      サウナストーン
９      第１水受け部
１０    第２水受け部
１１    第３水受け部
２１、４３、４４    重複部
２４    第１排水管（排水管）
３１    第３排水管（外部排水管）
３２    流路
【図１】
2010142374.tif 000003
【図２】
2010142374.tif 000004
【図３】
2010142374.tif 000005